(57)【特許請求の範囲】
【請求項１】
汗の吸収等で使用するタオル等の長尺帯体であって、タオル等の長尺帯体の長尺方向の一端側近傍には、一度のホール縫製で形成された４０ミリメートル以上の少なくとも２以上の縦長孔、又は横長孔が設けられ、且つ前記該縦長孔、又は横長孔の縁部には、他の材質の滑止手段が設けられていることを特徴とするタオル等の長尺帯体。
【発明の詳細な説明】
【０００１】
【発明の属する技術分野】
本発明は、タオル等の長尺帯体、及びその製造方法に関し、特に長尺帯体を巻回して装着する場合に、その巻回が容易に離反したり、ズレたりすることのないタオル等の長尺帯体、及びその製造方法に関する。
【０００２】
【従来の技術】
例えば、スポーツ時、ウォーキング時等に汗を吸収するのに使用する吸収具として一般的なタオルは、一般に長尺状に形成されているために、前記スポーツ時等においては、首部分に回巻することで装着する。このタオルを首部分に回巻して装着する際、タオルが滑り落ちないようにタオルを両端側より捩じって棒状にして輪を作って結ぶ、又はタオルの一方側を折り輪を作った後、その輪の中に他方側を挿通することで容易に首部分より離反しないように装着していた。
【０００３】
また、入浴後に使用する大きめの入浴用タオル（通称バスタオル）を体に巻き付けて装着する場合は、タオルの両側上端部を結ぶ、又はタオルを体に巻き付けた後他端側を巻き付けた部分の裏側に挿入することで装着する。
【０００４】
しかしながら、上記タオルを首部分に装着する場合は、運動している途中にタオルの結び目部分にズレが生じたり、さらにひどい場合はタオルが体より離脱し、地面に落としてしまう場合が多く発生した。このように、従来のタオルの装着では、装着時の安心感がない不安定なものであった。
【０００５】
そこで、例えば技術分野は相違するものの実用新案登録第３０６３２６１号に開示されているようなマフラーの応用が考えられる。このマフラーは長尺方向の一端側にスリットの形成されたもので、他端側を該スリットに挿通して首部分に回巻して装着するものである。これをタオルに応用する方法である。
【０００６】
【発明が解決しようとする課題】
しかしながら、上記公報に開示されている一つのスリットに他端側を挿通して首に回巻するような装着は、マフラーのように長さが十分にあり、マフラー装着時の動きが少なく、また毛糸等の材質である場合は、最適でありますが、汗取りのタオルの場合は、運動して体が揺れているために、タオルの他端側が、スリットからズレ易く装着時の不安定感を解消できないという問題点があった。
【０００７】
さらに、孔を形成するだけでは、使用により孔部分に綻びが生じる等の不備があり、数度の使用には耐えられない欠点があった。
【０００８】
そこで、本発明は、このような実情に鑑みてなされたもので、装着が容易であり、且つズレ等のない機能を備えたタオル等の長尺帯体、及びその製造方法を提供することを課題とするものである。
【０００９】
【課題を解決するための手段】
上記目的を達成するため、本発明は請求項１に記載のように、汗の吸収等で使用するタオル等の長尺帯体であって、タオル等の長尺帯体の長尺方向の一端側近傍には、一度のホール縫製で形成された４０ミリメートル以上の少なくとも２以上の縦長孔、又は横長孔が設けられ、且つ前記該縦長孔、又は横長孔の縁部には、他の材質の滑止手段が設けられていることを特徴とする。
【００１３】
【作用】
本発明のタオル等の長尺帯体を使用する場合は、首部分、又は額部分に長尺帯体を回巻した後、該長尺帯体の長尺方向の一端側近傍に形成された少なくとも２以上の縦長孔、又は横長孔に、長尺帯体の他端側を連続して挿通し長尺帯体を円弧状に形成することで装着する。この縦長孔、又は横長孔は一度のホール縫製で４０ミリメートル以上に形成されているために長尺帯体の他端側をスムーズに挿通することができるとともに、縦長孔、又は横長孔部分に装着時に捩じれが生じるために、他端側の抜け止め防止機能を果たすこととなる。さらに、縦長孔、又は横長孔の縁部には、他の材質の滑止手段が設けられているために滑り止め効果を高めることができる。
【００１４】
この孔は、一度にホール縫製で形成されているために、そのホール縫製が容易であり、製造コストを低減することができることとなる。また、孔が伸縮（特に、使用頻度により孔が変形したりすることがない）したりすることがないために、使用頻度の多いタオル等の長尺帯体の他端側を容易に挿通することができ、又この部分により、他端側の抜け止めとなる等最適な装着を可能とする。
【００１５】
また、本発明のタオル等の長尺帯体を製造する場合は、タオル等の長尺帯体を縫製加工装置側に順次移送した後、該縫製加工装置を用いて該長尺帯体の長尺方向の一端側近傍に少なくとも２以上の縦長孔、又は横長孔を一度にホール縫製する。また、長尺帯体を長尺方向に沿って複数の４０ミリメートル以上の縦長孔、又は横長孔を一度にホール縫製する。これにより、縦長孔、又は横長孔の形成が短時間で容易に行うことが可能となる。
【００１６】
このように、本発明のタオル等の長尺帯体は円弧状に形成された巻回状態を常に維持することができるので、使用中にズレたり、離脱したりすることなく、快適に装着することができる。
【００１７】
【実施の形態】
以下、本発明のタオル用の長尺帯体の一実施の形態を、図面に沿って説明する。図１は本発明のタオル用の長尺帯体を示す概略平面図であり、図２は、タオル用の長尺帯体の縦長孔を示す概略拡大平面図であり、図３はタオル用の長尺帯体の使用例を示す概略斜視図であり、図４、図５は本発明のタオル用の長尺帯体の他実施の形態を示す概略正面図である。
【００１８】
本発明のタオル用の長尺帯体１は、タオルに使用されるべく通常考えられる材質（汗の吸収性の良い材質）で構成され、且つ通常考えられる長さ（首に回すのに適度な長さ）の一本の長尺帯状に形成されている。
【００１９】
前記タオル用の長尺帯体１の長尺方向の一端側２近傍には、長尺方向に対して平行した状態で一対の縦長孔３Ａ、３Ｂが形成されている。該縦長孔３Ａ、３Ｂは、タオル用の長尺帯体１の他端側４が挿通可能な規格縫製加工された大きさに４０ミリメートル以上７０ミリメートル以下に形成されている。尚、前記縦長孔３Ａ、３Ｂの形成位置は上記ように平行に限定されるものでなく、縦長孔３Ａと縦長孔３Ｂとの位置をズラして形成することで、長尺帯体１を斜めにしてさらに長い状態て使用することも可能である。また、縦長孔３Ａ、３Ｂの長さを決定するのは、長尺帯体１の幅により決定されるものである。又、孔の形状は縦長孔３Ａ、３Ｂに限定されるものでなく、横長孔で形成することも可能である。
【００２０】
前記縦長孔３Ａ、３Ｂは、規格縫製加工されているために、縦長孔３の開口部縁部５は、例えば服のボタンを挿通する孔と同様に構成されているために、長尺帯体１の他端側４を挿通するのに適し、また縦長孔３Ａ、３Ｂの形を一定に保持することができる。
【００２１】
また、縦長孔３の縫い目は、ウイップ縫い（平縫い…縫製機で千鳥縫いをしたときと同じように、生地（タオル用の長尺帯体１）の表には上糸が、裏には下糸がジグザグに出ている縫い目）を、縫製加工で一度に形成することで形成される。この際、綿糸を使用することにより、タオル用の長尺帯体１と調和することとなる他、毎日の洗濯にも対応することができることとなる。さらに、綿糸を使用することにより、強度を保ことができるので、滑り止め効果を高めることができ、また、他の材質（例えば、ゴム等の弾性体を開口部縁に設け、又開口部に樹脂体）を設けることで滑止手段とする。
【００２２】
本発明のタオル用の長尺帯体１は、上記のように構成されている。次に、タオル用の長尺帯体１を装着する場合について説明する。
【００２３】
先ず、タオル用の長尺帯体１を長尺方向に二つ折り、又は長尺方向に適当に束ねて、装着者の首部分に回し、該長尺帯体１の他端側４を一端側２近傍の縦長孔３Ａへ挿通し、その後縦長孔３Ｂに挿通することで長尺帯体１をリング状に形成して装着する。この際、縦長孔３Ａ、３Ｂは、縫製加工されているために、形を一定に保持することができるので、他端側４の挿通が容易であり、又挿通後の縫製加工部分が滑止となり他端側４が容易に縦長孔３Ａ、３Ｂより離脱しない。
【００２４】
しかも、長尺帯体１の他端側４は、縦長孔３Ａ、３Ｂと連続して挿通してあるためにスポーツ時に体を大きく動かしてもその離脱がなく、長時間の使用に適し、汗を連続して吸収することで快適に使用することができる。
【００２５】
また、縦長孔３Ａ、３Ｂは目立つことがなく、ファッション用的にも適することとなる。
【００２６】
尚、上記実施例では、タオル用の長尺帯体１を装着者の首部分に回して使用したが、長尺帯体１の他端側４が容易に縦長孔３Ａ、３Ｂより離脱しないために、額に回して使用することも可能である。又、サイズを縮小し、縦長孔３の位置、数（例えば、図４に示すように、長尺帯体１の四隅に縦長孔３を形成することで長尺帯体１を斜めにして使用する方法）を変更することで、手首に回して手首の汗止め用として使用することもできる。
【００２７】
又、他の使用方法としては、図５に示すように、サイズを拡大した（例えば、縦１２０センチメートル、横７３センチ）入浴用タオルとしての長尺帯体１の一端側２より平行の３個の横長孔３ａ、３ｂ、３ｃ（例えば、一端側２より１５センチメートル、２５センチメートル、３５センチメートルの位置）の規格縫製加工された４０ミリメートル以上の孔を形成することで、長尺帯体１を体に巻き付けた際、他端側４を縦長孔３ａ、３ｂ、３ｃの一つ、２つ、又は３つにそれぞれ挿通することで、従来の装着に比し容易に、且つ確実に体に巻き付けて装着することができる。
【００２８】
又、上記実施例では、縦長孔３の開口部５の縫製加工部分を滑止手段と兼用したが、本発明の滑止手段はこれに限定されるものでなく、他の材質（例えば、ゴム等の弾性体を開口部縁に設けてもよく、又開口部に樹脂体を設けてもよく）を設けることで滑止手段とすることも可能である。
【００２９】
【発明の効果】
このように、本発明のタオル等の長尺帯体とその製造方法は、従来のタオル等の長尺帯体に比し、その装着方法が容易である他、装着後にズレたり、離脱したりすることなく使用することができ、装着時に安定感を与え、あらゆるスポーツ時に使用することができるという利点がある。
【００３０】
また、４０ミリメートル以上の縦長孔を一度に形成することができるので、製造工程の削減、及び製造コストを低減するために、販売コストの低減を行える。
【００３１】
さらに、縦長孔、又は横長孔のサイズ、及び形成個数により、装着方法の適用範囲を広げることができ、さらに装着時の安定感を高めることができる。
【図面の簡単な説明】
【図１】は、本発明のタオル用の長尺帯体を示す概略平面図である。
【図２】は、タオル用の長尺帯体の縦長孔を示す概略拡大平面図である。
【図３】は、はタオル用の長尺帯体の使用例を示す概略斜視図である。
【図４】は、本発明のタオル用の長尺帯体の他実施の形態を示す概略正面図である。
【図５】は、本発明のタオル用の長尺帯体の他実施の形態を示す概略正面図である。
【符号の説明】
１…タオル用の長尺帯体
３…縦長孔、又は横長孔
【図１】
0003646220.tif 000002
【図２】
0003646220.tif 000003
【図３】
0003646220.tif 000004
【図４】
0003646220.tif 000005
【図５】
0003646220.tif 000006